(57)【特許請求の範囲】
【請求項１】
（ａ）  回転によって近傍の磁界を変動させることができる回転体と、
（ｂ）  電源電圧が与えられる電源端子、出力信号を出力する信号出力端子、及び接地電位が与えられる接地端子を有し、前記回転体の近傍の磁界に対応した信号を前記信号出力端子に出力するセンサデバイスとして回転センサ回路に配設されたホールＩＣと、
（ｃ）  前記ホールＩＣの電源端子から前記回転センサ回路の電源電圧端子へ流れる電流を阻止する向きで前記回転センサ回路の電源電圧端子と前記ホールＩＣの電源端子との間に接続された第１のダイオードと、
（ｄ）  前記ホールＩＣの信号出力端子から前記回転センサ回路の信号出力端子へ流れる電流を阻止する向きで前記回転センサ回路の信号出力端子と前記ホールＩＣの信号出力端子との間に接続された第２のダイオードと、
（ｅ）  前記回転センサ回路の接地電位端子から前記ホールＩＣの接地端子へ向けて流れる電流を阻止する向きで前記回転センサ回路の接地電位端子と前記ホールＩＣの接地端子との間に接続された第３のダイオードと、
（ｆ）  一端が前記第１のダイオードのカソードに接続され、かつ、他端が前記回転センサ回路の信号出力端子に接続された第１の抵抗と、
（ｇ）  一端が前記第２のダイオードのアノードに接続され、かつ、他端が回転センサ回路の信号出力端子に接続された第２の抵抗と、
を備えることを特徴とする回転センサ装置。
【請求項２】
前記第１のダイオードのカソードと前記第３のダイオードのアノードとの間に接続されたコンデンサをさらに備えることを特徴とする請求項１に記載の回転センサ装置。
【請求項３】
（ａ）  回転によって近傍の磁界を変動させることができる回転体と、
（ｂ）  電源電圧が与えられる電源端子、出力信号を出力する信号出力端子、及び接地電位が与えられる接地端子を有し、前記回転体の近傍の磁界に対応した信号を前記信号出力端子に出力するセンサデバイスとして回転センサ回路に配設されたホールＩＣと、
（ｃ）  前記ホールＩＣの電源端子から前記回転センサ回路の電源電圧端子へ向けて流れる電流を阻止する向きで前記回転センサ回路の電源電圧端子と前記ホールＩＣの電源端子との間に接続された第１のダイオードと、
（ｄ）  前記ホールＩＣの信号出力端子から前記回転センサ回路の信号出力端子へ向けて流れる電流を阻止する向きで前記回転センサ回路の信号出力端子と前記ホールＩＣの信号出力端子との間に接続された第２のダイオードと、
（ｅ）  一端が前記第１のダイオードのカソードに接続され、かつ、他端が前記回転センサ回路の信号出力端子に接続された第１の抵抗と、
（ｆ）  一端が前記第２のダイオードのアノードに接続され、かつ、他端が回転センサ回路の信号出力端子に接続された第２の抵抗と、
を備えることを特徴とする回転センサ装置。
【請求項４】
前記第１のダイオードのカソードと前記回転センサ回路の接地電位端子との間に接続されたコンデンサをさらに備えることを特徴とする請求項３に記載の回転センサ装置。
【請求項５】
（ａ）  回転によって近傍の磁界を変動させることができる回転体と、
（ｂ）  電源電圧が与えられる電源端子、出力信号を出力する信号出力端子、及び接地電位が与えられる接地端子を有し、前記回転体の近傍の磁界に対応した信号を前記信号出力端子に出力するセンサデバイスとして回転センサ回路に配設されたホールＩＣと、
（ｃ）  前記ホールＩＣの信号出力端子から前記回転センサ回路の信号出力端子へ向けて流れる電流を阻止する向きで前記回転センサ回路の信号出力端子と前記ホールＩＣの信号出力端子との間に接続された第１のダイオードと、
（ｄ）  前記回転センサ回路の接地電位端子から前記ホールＩＣの接地端子へ向けて流れる電流を阻止する向きで前記回転センサ回路の接地電位端子と前記ホールＩＣの接地端子との間に接続された第２のダイオードと、
（ｆ）  一端が前記回転センサ回路の電源電圧端子に接続され、かつ、他端が前記回転センサ回路の信号出力端子に接続された第１の抵抗と、
（ｇ）  一端が前記第１のダイオードのアノードに接続され、かつ、他端が回転センサ回路の信号出力端子に接続された第２の抵抗と、
を備えることを特徴とする回転センサ装置。
【請求項６】
前記回転センサ回路の電源電圧端子と前記第２のダイオードのアノードとの間に接続されたコンデンサをさらに備えることを特徴とする請求項５に記載の回転センサ装置。
【発明の詳細な説明】
【技術分野】
【０００１】
本発明は、回転体の回転状態を検出する回転センサ装置に関し、さらに詳しくは、ホールＩＣをセンシングデバイス（ホールＩＣ型センサ）として用いる回転センサ装置に関する。
【背景技術】
【０００２】
例えばブラシレスモータにあっては、ホールＩＣ（ＨＩＣ）を３つ用いてロータ（回転体）の磁極位置及び回転速度を検出し、それらの検出信号に基づいて励磁シーケンスの生成やロータ回転速度のフィードバック制御を行なうようにしている。この場合、上述の３つのホールＩＣは、モータの内部に設けられた基板上の所定位置にそれぞれ実装され、これらの３つのホールＩＣからの出力信号に基づいてロータの回転位置並びに回転速度を検出するようにしている。一方、ホールＩＣからの出力信号は、基板のパターン、及び、このパターンに接続されたケーブルを介して、制御回路であるドライバにコネクタ接続されるようになっている。
【０００３】
なお、従来では、上述の基板には、３つのホールＩＣ（ＨＩＣ）、及び、図６に示すようにホールＩＣの駆動電源端子（＋Ｖcc端子）と接地端子（ＧＮＤ端子）との間に接続されるノイズ除去用コンデンサＣのみが実装され、従って回転センサ回路には３つのホールＩＣ（ＨＩＣ）及びノイズ除去用コンデンサＣだけしか設けられていない（例えば、特開平６−２７３４２９号参照）。
【特許文献１】特開平６−２７３４２９号公報
【発明の開示】
【発明が解決しようとする課題】
【０００４】
配電盤にモータのドライバを設置する際に、接続ケーブルを配電盤のダクトに通すために、ユーザーがコネクタを接続ケーブルから一旦切り離してから接続ケーブルをダクトに通し、その後にコネクタを接続ケーブルに再度付け替えるなどの作業を行なわなければならない場合が多々ある。そのような場合には、誤接続（誤配線）によってホールＩＣが破損するおそれがあるのが実状である。それは、従来の回転センサにはホールＩＣを保護する機能が備えられていないためである。
【０００５】
本発明は、上述の如き実状に鑑みてなされたものであって、その目的は、接続ケーブルがどのようなパターンで誤接続（誤配線）されてもホールＩＣを破損から保護することができるような回転センサ装置を提供することにある。
【課題を解決するための手段】
【０００６】
上述の目的を達成するために、本発明では、
（ａ）  回転によって近傍の磁界を変動させることができる回転体と、
（ｂ）  電源電圧が与えられる電源端子、出力信号を出力する信号出力端子、及び接地電位が与えられる接地端子を有し、前記回転体の近傍の磁界に対応した信号を前記信号出力端子に出力するセンサデバイスとして回転センサ回路に配設されたホールＩＣと、
（ｃ）  前記ホールＩＣの電源端子から前記回転センサ回路の電源電圧端子へ流れる電流を阻止する向きで前記回転センサ回路の電源電圧端子と前記ホールＩＣの電源端子との間に接続された第１のダイオードと、
（ｄ）  前記ホールＩＣの信号出力端子から前記回転センサ回路の信号出力端子へ流れる電流を阻止する向きで前記回転センサ回路の信号出力端子と前記ホールＩＣの信号出力端子との間に接続された第２のダイオードと、
（ｅ）  前記回転センサ回路の接地電位端子から前記ホールＩＣの接地端子へ向けて流れる電流を阻止する向きで前記回転センサ回路の接地電位端子と前記ホールＩＣの接地端子との間に接続された第３のダイオードと、
（ｆ）  一端が前記第１のダイオードのカソードに接続され、かつ、他端が前記回転センサ回路の信号出力端子に接続された第１の抵抗と、
（ｇ）  一端が前記第２のダイオードのアノードに接続され、かつ、他端が回転センサ回路の信号出力端子に接続された第２の抵抗と、
を備えるようにしている。
また、本発明では、前記第１のダイオードのカソードと前記第３のダイオードのアノードとの間に接続されたコンデンサをさらに備えるようにしている。
また、本発明では、
（ａ）  回転によって近傍の磁界を変動させることができる回転体と、
（ｂ）  電源電圧が与えられる電源端子、出力信号を出力する信号出力端子、及び接地電位が与えられる接地端子を有し、前記回転体の近傍の磁界に対応した信号を前記信号出力端子に出力するセンサデバイスとして回転センサ回路に配設されたホールＩＣと、
（ｃ）  前記ホールＩＣの電源端子から前記回転センサ回路の電源電圧端子へ向けて流れる電流を阻止する向きで前記回転センサ回路の電源電圧端子と前記ホールＩＣの電源端子との間に接続された第１のダイオードと、
（ｄ）  前記ホールＩＣの信号出力端子から前記回転センサ回路の信号出力端子へ向けて流れる電流を阻止する向きで前記回転センサ回路の信号出力端子と前記ホールＩＣの信号出力端子との間に接続された第２のダイオードと、
（ｅ）  一端が前記第１のダイオードのカソードに接続され、かつ、他端が前記回転センサ回路の信号出力端子に接続された第１の抵抗と、
（ｆ）  一端が前記第２のダイオードのアノードに接続され、かつ、他端が回転センサ回路の信号出力端子に接続された第２の抵抗と、
を備えるようにしている。
また、本発明では、前記第１のダイオードのカソードと前記回転センサ回路の接地電位端子との間に接続されたコンデンサをさらに備えるようにしている。
また、本発明では、
（ａ）  回転によって近傍の磁界を変動させることができる回転体と、
（ｂ）  電源電圧が与えられる電源端子、出力信号を出力する信号出力端子、及び接地電位が与えられる接地端子を有し、前記回転体の近傍の磁界に対応した信号を前記信号出力端子に出力するセンサデバイスとして回転センサ回路に配設されたホールＩＣと、
（ｃ）  前記ホールＩＣの信号出力端子から前記回転センサ回路の信号出力端子へ向けて流れる電流を阻止する向きで前記回転センサ回路の信号出力端子と前記ホールＩＣの信号出力端子との間に接続された第１のダイオードと、
（ｄ）  前記回転センサ回路の接地電位端子から前記ホールＩＣの接地端子へ向けて流れる電流を阻止する向きで前記回転センサ回路の接地電位端子と前記ホールＩＣの接地端子との間に接続された第２のダイオードと、
（ｆ）  一端が前記回転センサ回路の電源電圧端子に接続され、かつ、他端が前記回転センサ回路の信号出力端子に接続された第１の抵抗と、
（ｇ）  一端が前記第１のダイオードのアノードに接続され、かつ、他端が回転センサ回路の信号出力端子に接続された第２の抵抗と、
を備えるようにしている。
また、本発明では、前記回転センサ回路の電源電圧端子と前記第２のダイオードのアノードとの間に接続されたコンデンサをさらに備えるようにしている。
【発明の効果】
【０００７】
請求項１，請求項３，及び請求項５に記載の本発明によれば、接続ケーブルを誤接続（誤配線）した場合であっても、接続所定の箇所において所定の向きに設けたダイオードの存在により、ホールＩＣに破損するような電気的経路が形成されることがなく、従ってホールＩＣの電気的な保護（ホールＩＣに印加される逆バイアスに対する破損の防止）を図ることが可能となる。さらに、所定の箇所に抵抗を設けるようにしているので、誤接続に伴うホールＩＣへ流れ込む短絡電流を制限することができ、従ってホールＩＣに流入する短絡電流による破損の防止を図ることができると共に、ホールＩＣの出力ラインに印加される電源電圧の安定化を図ることができる。
【０００８】
また、請求項２，請求項４，及び請求項６に記載の本発明によれば、所定の箇所に設けられたコンデンサの存在により、ホールＩＣの駆動電源の安定化（ノイズ除去）を行うことができる。
【発明を実施するための最良の形態】
【０００９】
以下、本発明の実施形態に係る回転センサ装置について図１〜図５を参照して説明する。
【００１０】
図１は、本発明の第１実施形態に係る回転センサ装置１を示すものであって、本実施形態の回転センサ装置１は、モータのロータ（図示せず）の回転状態を検出するためにドライバ内部回路２に連結されて設けられている。この回転センサ装置１は、回転によって近傍の磁界を変化させることができるモータのロータを備えており、このロータの回転に応じた磁界の変化をホールＩＣ（ホールＩＣ型センサ；ＨＩＣ）３によって検知するように構成されている。
【００１１】
上述のホールＩＣ３は、電源電圧（＋ＶCC）が与えられる電源端子４と、出力信号を出力する信号出力端子５と、接地電位が与えられる接地端子６とを有し、ロータの近傍の磁界に対応した信号を信号出力端子５に出力するセンサデバイスとして回転センサ回路７内に配設されている。
【００１２】
また、上述の回転センサ回路７には、図１に示すように、ホールＩＣ３の電源端子４から回転センサ回路７の電源電圧端子８へ流れる電流を阻止する向きで回転センサ回路７の電源電圧端子８とホールＩＣ３の電源端子４との間に接続された第１のダイオードＤ１と、ホールＩＣ３の信号出力端子５から回転センサ回路７の信号出力端子９へ流れる電流を阻止する向きで回転センサ回路７の信号出力端子９とホールＩＣ３の信号出力端子５との間に接続された第２のダイオードＤ２と、回転センサ回路７の接地電位端子１０からホールＩＣ３の接地端子６へ流れる電流を阻止する向きで回転センサ回路７の接地電位端子１０とホールＩＣ３の接地端子６との間に接続された第３のダイオードＤ３と、一端が第１のダイオードＤ１のカソードに接続され、かつ、他端が回転センサ回路７の信号出力端子９に接続された第１の抵抗Ｒ１と、一端が第２のダイオードＤ２のアノードに接続され、かつ、他端が回転センサ回路７の信号出力端子９に接続された第２の抵抗Ｒ２とが備えられている。さらに、第１のダイオードＤ１のカソードと第３のダイオードＤ３のアノードとの間には、ノイズ除去用のコンデンサＣが接続されている。
【００１３】
このような構成の回転センサ装置１によれば、接続ケーブル１１ａ，１１ｂ，１１ｃを回転センサ回路７の３つの端子（電源電圧端子８，信号出力端子９，及び接地電位端子１０）とドライバ内部回路２の３つの端子（電源電圧端子１２，信号入力端子１３，及び接地電位端子１４）とに接続する際に、誤接続（誤配線）を行なったとしても、ホールＩＣ３を電気的に保護することが可能である。さらに具体的に述べると、図２（Ａ）に示すように、回転センサ回路７の電源電圧端子８とドライバ内部回路２の電源電圧端子１２とを接続ケーブル１１ａにより正しく接続する一方、回転センサ回路７の信号出力端子９とドライバ内部回路２の接地電位端子１４とを接続ケーブル１１ｂにより誤って接続すると共に、回転センサ回路７の接地電位端子１０とドライバ内部回路２の信号入力端子１３とを接続ケーブル１１ｃにより誤って接続した場合には、回転センサ回路７の電源電圧端子８から第１のダイオードＤ１，第１の抵抗Ｒ１，及び回転センサ回路７の信号出力端子９を順次に介してドライバ内部回路２の接地電位端子１４に至る経路Ｙ１に電流が流れる一方、ドライバ内部回路２の信号入力端子１３から回転センサ回路７の接地電位端子１０，第３のダイオードＤ３，及びホールＩＣ３を順次に介して第２のダイオードＤ２に至る経路Ｙ２には、第３のダイオードＤ３及び第２のダイオードＤ２の電流遮断作用により電流は流れないため、ホールＩＣ３の電気的な保護が図られる。
【００１４】
また、図２（Ｂ）に示すように、回転センサ回路７の信号出力端子９とドライバ内部回路２の信号入力端子１３とを接続ケーブル１１ｂにより正しく接続する一方、回転センサ回路７の電源電圧端子８とドライバ内部回路２の接地電位端子１４とを接続ケーブル１１ａにより誤って接続すると共に、回転センサ回路７の接地電位端子１０とドライバ内部回路２の電源電圧端子１２とを接続ケーブル１１ｃにより誤って接続した場合には、回転センサ回路７の接地電位圧端子１０から第３のダイオードＤ３及びホールＩＣ３を順次に介して第１のダイオードＤ１に至る経路Ｙ３には、第３のダイオードＤ３及び第１のダイオードＤ１の電流遮断作用により電流は流れないため、ホールＩＣ３の電気的な保護が図られる。
【００１５】
また、図２（Ｃ）に示すように、回転センサ回路７の電源電圧端子８とドライバ内部回路２の接地電位端子１４とを接続ケーブル１１ａにより誤って接続し、回転センサ回路７の信号出力端子９とドライバ内部回路２の電源電圧端子１２とを接続ケーブル１１ｂにより誤って接続し、かつ、回転センサ回路７の接地電位端子１０とドライバ内部回路２の信号入力端子１３とを接続ケーブル１１ｃにより誤って接続した場合には、ドライバ内部回路２の信号入力端子１３から回転センサ回路７の接地電位端子１０，第３のダイオードＤ３，ホールＩＣ３を順次に介して第１のダイオードＤ１に至る経路Ｙ４、並びに、回転センサ回路７の信号出力端子９から第２の抵抗Ｒ２，第２のダイオードＤ２，及びホールＩＣ３を順次に介して第１のダイオードＤ１に至る経路Ｙ５には、第３のダイオードＤ３及び第１のダイオードＤ１の電流遮断作用により電流は流れないため、ホールＩＣ３の電気的な保護が図られる。
【００１６】
また、図２（Ｄ）に示すように、回転センサ回路７の接地電位端子１０とドライバ内部回路２の接地電位端子１４とを接続ケーブル１１ｃにより正しく接続する一方、回転センサ回路７の電源電圧端子８とドライバ内部回路２の信号入力端子１３とを接続ケーブル１１ａにより誤って接続すると共に、回転センサ回路７の信号出力端子９とドライバ内部回路２の電源電圧端子１２とを接続ケーブル１１ｂにより誤って接続した場合には、ドライバ内部回路２の信号入力端子１３から回転センサ回路７の電源電圧端子８，第１のダイオードＤ１，及びホールＩＣ３を順次に介して第３のダイオードＤ３に至る経路Ｙ６、並びに、回転センサ回路７の信号出力端子９から第２の抵抗，第２のダイオードＤ２，及びホールＩＣ３を順次に介して第３のダイオードＤ３に至る経路Ｙ７には、第１〜第３のダイオードＤ１，Ｄ２，Ｄ３を通して電流が流れる。この際、第２の抵抗Ｒ２及び第２のダイオードＤ２を介してホールＩＣ３に流れ込む短絡電流は、第２の抵抗Ｒ２により制限されるため、ホールＩＣ３が電気的に保護される。
【００１７】
また、図２（Ｅ）に示すように、回転センサ回路７の電源電圧端子８とドライバ内部回路２の信号入力端子１３とを接続ケーブル１１ａにより誤って接続し、回転センサ回路７の信号出力端子９とドライバ内部回路２の接地電位端子１４とを接続ケーブル１１ｂにより誤って接続し、かつ、回転センサ回路７の接地電位端子１０とドライバ内部回路２の電源電圧端子１２とを接続ケーブル１１ｃにより誤って接続した場合には、ドライバ内部回路２の信号入力端子１３から回転センサ回路７の電源電圧端子８，第１のダイオードＤ１，第１の抵抗Ｒ１，回転センサ回路７の信号出力端子９を順次に介してドライバ内部回路２の接地電位端子１４に至る経路Ｙ８には、第１のダイオードＤ１を通って電流が流れる一方、回転センサ回路７の接地電位端子１０から第３のダイオードＤ３，及びホールＩＣ３を順次に介して第１のダイオードＤ１に至る経路Ｙ９には、第３のダイオードＤ３及び第２のダイオードＤ２の電流遮断作用により電流は流れないため、ホールＩＣ３の電気的な保護が図られる。
【００１８】
ホールＩＣ３の出力はオープンコレクタ出力方式を採用しているため、逆バイアスに対して非常に脆いという特性を有しているが、本例の回転センサ装置１によれば、誤接続（誤配線）によってホールＩＣ３に逆バイアスが加わった場合であってもこのホールＩＣ３を有効に保護することができる。すなわち、回転センサ回路７に設けられる第１のダイオードＤ１及び第３のダイオードＤ３は、ホールＩＣ３の電源端子４と接地端子６との間に逆バイアスが加わった場合に電流の流れを遮断するように機能し、これにより、逆耐圧性能の低いホールＩＣ３の保護がなされる。また、回転センサ回路７に設けられる第２のダイオードＤ２は、ホールＩＣ３の信号出力端子５と接地端子６との間に逆バイアスが加わった場合に電流の流れを遮断するように機能し、これにより、逆耐圧性能の低いホールＩＣ３の保護がなされる。
【００１９】
また、回転センサ回路７に設けられる第１の抵抗Ｒ１は、図２（Ｅ）に示すような誤接続が行われた場合に短絡電流の制限を行なうと共に、ホールＩＣの出力ラインに印加される電源電圧の安定化を行なうように機能し、これによりホールＩＣ３の保護がなされる。なお、商品の性質上、ホールＩＣ３を搭載しているモータとホールＩＣ３の駆動電源を供給するドライバ内部回路２との間の距離が、最大２０ｍ程度まで延長されるため、第１の抵抗Ｒ１により電源電圧の安定化を行なうのが望ましい。また、回転センサ回路７に設けられる第２の抵抗Ｒ２は、ホールＩＣ３の出力方式としてオープンコレクタ出力方式を採用しているため、ホールＩＣ３に流入する短絡電流の制限を行なってホールＩＣ３を保護する役目を果たしている。なお、回転センサ回路７に設けられるコンデンサＣは、ホールＩＣ３の駆動電源の安定化（ノイズ除去）を行なう役目を果たしている。
【００２０】
また、図３は、本発明の第２実施形態に係る回転センサ装置２０を示すものであって、この回転センサ装置２０は、３つのホールＩＣ３を組み合わせたものである。３つのホールＩＣ３間において図３に示すような誤接続がなされても、各ホールＩＣ３を破損し得る電気的経路は存在せず、この場合にも各ホールＩＣ３を電気的に保護することができる。なお、図３において示す経路Ｙ１０は、電流が流れる経路である。
【００２１】
一方、既述の第１実施形態の回転センサ装置１にあっては、第１〜第３のダイオードＤ１，Ｄ２，Ｄ３をそれぞれ用いるようにしているが、第１のダイオードＤ１及び第３のダイオードＤ３のうちの何れか１つを省略するようにしても、ホールＩＣ３の電気的保護を達成することができる。図４は、第３のダイオードＤ３を省略して成る本発明の第３実施形態に係る回転センサ装置３０を示すものであり、図５は、第１のダイオードＤ１を省略して成る本発明の第３実施形態に係る回転センサ装置４０を示すものである。
【００２２】
図４の回転センサ装置３０は、回転によって近傍の磁界を変動させることができる図外のモータの回転子（回転体）と、電源電圧が与えられる電源端子４、出力信号を出力する信号出力端子５、及び接地電位が与えられる接地端子６を有し、回転子の近傍の磁界に対応した信号を信号出力端子５に出力するセンサデバイスとして回転センサ回路７に配設されたホールＩＣ３と、ホールＩＣ３の電源端子４から回転センサ回路７の電源電圧端子８へ流れる電流を阻止する向きで回転センサ回路７の電源電圧端子８とホールＩＣ３の電源端子４との間に接続された第１のダイオードＤ１と、ホールＩＣ３の信号出力端子５から回転センサ回路７の信号出力端子９へ流れる電流を阻止する向きで回転センサ回路７の信号出力端子９とホールＩＣ３の信号出力端子５との間に接続された第２のダイオードＤ２と、一端が第１のダイオードＤ１のカソードに接続され、かつ、他端が回転センサ回路７の信号出力端子９に接続された第１の抵抗Ｒ１と、一端が第２のダイオードＤ２のアノードに接続され、かつ、他端が回転センサ回路７の信号出力端子９に接続された第２の抵抗Ｒ２とを備えている。さらに、回転センサ装置３０は、第１のダイオードＤ１のカソードと回転センサ回路７の接地電位端子１０との間に接続されたコンデンサＣを備えている。
【００２３】
一方、図５の回転センサ装置４０は、回転によって近傍の磁界を変動させることができる図外のモータのロータ（回転体）と、電源電圧が与えられる電源端子４、出力信号を出力する信号出力端子５、及び接地電位が与えられる接地端子６を有し、回転子の近傍の磁界に対応した信号を信号出力端子５に出力するセンサデバイスとして回転センサ回路７に配設されたホールＩＣ３と、ホールＩＣ３の信号出力端子５から回転センサ回路７の信号入力端子５へ流れる電流を阻止する向きで回転センサ回路７の信号出力端子９とホールＩＣ３の信号出力端子５との間に接続された第１のダイオードＤ２と、回転センサ回路７の接地電位端子１０からホールＩＣ３の接地端子６へ流れる電流を阻止する向きでホールＩＣ３の接地端子６と回転センサ回路７の接地電位端子１０との間に接続された第２のダイオードＤ３と、一端が回転センサ回路７の電源電圧端子８に接続され、かつ、他端が回転センサ回路７の信号出力端子９に接続された第１の抵抗Ｒ１と、一端が第１のダイオードＤ２のアノードに接続され、かつ、他端が回転センサ回路７の信号出力端子９に接続された第２の抵抗Ｒ２とを備えている。そして、回転センサ回路７の電源電圧端子８と第２のダイオードＤ３のアノードとの間にコンデンサＣをさらに備えている。
【００２４】
このような第３実施形態の回転センサ装置３０及び第４実施形態の回転センサ装置４０によっても、ホールＩＣ３の保護を図ることができる。
【００２５】
以上、本発明の実施形態について述べたが、本発明はこれらの実施形態に限定されるものではなく、本発明の技術的思想に基づいて各種の変形及び変更が可能である。例えば、既述の実施形態ではモータのロータの回転状態を検知する回転センサ装置１，２０，３０，４０について述べたが、モータのロータ以外の各種の回転体の回転状態を検知する回転センサ装置にも本発明を適用することが可能である。
【図面の簡単な説明】
【００２６】
【図１】本発明の第１実施形態に係る回転センサ装置の回路図である。
【図２】図２（Ａ）〜（Ｅ）は誤接続された場合の回転センサ装置の回転センサ回路の状態を示す回路図である。
【図３】本発明の第２実施形態に係る回転センサ装置の回路図であって、３つのホールＩＣを組み合わせて用いた回転センサ装置において誤接続がなされた場合の状態を示す回路図である。
【図４】本発明の第３実施形態に係る回転センサ装置の回路図である。
【図５】本発明の第４実施形態に係る回転センサ装置の回路図である。
【図６】従来の回転センサ装置の回路図である。
【符号の説明】
【００２７】
１，２０，３０，４０  回転センサ装置
２  ドライバ内部回路
３  ホールＩＣ
４  電源端子
５  信号出力端子
６  接地端子
７  回転センサ回路
８  電源電圧端子
９  信号出力端子
１０  接地電位端子
１１ａ，１１ｂ，１１ｃ  接続ケーブル
１２  電源電圧端子
１３  信号入力端子
１４  接地電位端子
【図１】
0004620542.tif 000002
【図２】
0004620542.tif 000003
【図３】
0004620542.tif 000004
【図４】
0004620542.tif 000005
【図５】
0004620542.tif 000006
【図６】
0004620542.tif 000007